(57)【要約】      （修正有）【課題】簡単な構造で、車載用電子機器のフロントパネルの前面を上側のみならず下側もスムーズに向くように傾動できる傾動機構を提供する。【解決手段】傾動機構装置１は、車載用の電子機器の機器本体に、機器本体に対して前後方向にスライド自在に連結されるスライド部材３と、機器本体の前方に配置される、フロントパネルが固定されるフロンパネル固定枠４と、前後方向に延びるアーム部材５と、アーム部材の傾動をガイドするガイド手段６と、スライド部材を前後方向にスライドさせるスライド駆動部７とよりなり、フロントパネル固定枠が、機器本体に対して、左右方向に延びる軸周りに傾動できるように、フロントパネル固定枠の下部が、スライド部材３の前部に、傾動自在に連結され、上部が、上記アーム部材５の前部に、傾動自在に連結され、アーム部材の中間部が、機器本体に、傾動自在に連結される。【選択図】図１
0003193690.tif 000002
【実用新案登録請求の範囲】
【請求項１】
車載用の電子機器の機器本体に、この機器本体に対して前後方向にスライド自在に連結されるスライド部材と、
上記機器本体の前方に配置される、フロントパネルが固定されるフロンパネル固定枠と、
前後方向に延びるアーム部材と、
上記アーム部材の傾動をガイドするガイド手段と、
上記スライド部材を前後方向にスライドさせるスライド駆動部とよりなり、
上記フロントパネル固定枠が、上記機器本体に対して、左右方向に延びる軸周りに傾動できるように、
上記フロントパネル固定枠の下部が、上記スライド部材の前部に、傾動自在に連結され、
上記フロントパネル固定枠の上部が、上記アーム部材の前部に、傾動自在に連結され、
上記アーム部材の中間部が、上記機器本体に、傾動自在に連結されることを特徴とする車載用の電子機器のフロントパネルの傾動機構装置。
【請求項２】
上記ガイド手段は、上記アーム部材の後部に設けたガイドピンと、上記スライド部材に固定した、上記ガイドピンが係合するガイド長孔を有するガイド板とよりなり、上記スライド部材と共に上記ガイド板が前後方向にスライドすることにより、上記アーム部材のガイドピンが上記ガイド長孔にガイドされて、上記アーム部材が傾動されることを特徴とする請求１記載の車載用の電子機器のフロントパネルの傾動機構装置。
【請求項３】
上記ガイド長孔は、上記各連結部及びスライド機構部において隙間なく連結されたと想定した場合の上記スライド部材のスライドに伴って上記アーム部材が傾動する時に、上記アーム部材の後部が、上記スライド部材と共に前後に移動する上記ガイド板に対して描く軌跡に合致する形状であることを特徴とする請求項２記載の車載用の電子機器のフロントパネルの傾動機構装置。
【請求項４】
上記ガイドピンは、上記アーム部材に対して回動自在なテーパーローラであって、このテーパーローラを上記ガイド長孔に対して押圧する手段を有することを特徴とする請求項２又は３記載の車載用の電子機器のフロントパネルの傾動機構装置。
【請求項５】
上記ガイド長孔は、所望の長さに形成され、上記アーム部材の傾動を所望の範囲内に規制することを特徴とする請求項２、３又は４記載の車載用の電子機器のフロントパネルの傾動機構装置。
【請求項６】
スライド部材停止機構部を更に有し、
このスライド部材停止機構部は、上記機器本体に設けた第１の係合部と、上記スライド部材に設けた、上記第１の係合部に係合する第２の係合部と、
上記スライド駆動部により上記スライド部材がスライドして、上記フロントパネル固定枠が垂直となった時に、上記第１の係合部と第２の係合部とが係合して、上記スライド部材を停止させる停止手段と、
上記停止手段により停止した後は、上記スライド駆動部により上記スライド部材がスライドして、上記フロントパネル固定枠が垂直となった時でも、上記第１の係合部と第２の係合部とが係合せず、上記スライド部材を更にスライド可能とする停止部迂回手段とよりなることを特徴とする請求項２、３、４又は５記載の車載用の電子機器のフロントパネルの傾動機構装置。
【請求項７】
上記停止手段は、上記スライド駆動部により上記スライド部材が前後いずれか一方側にスライドし、上記フロントパネル固定枠が垂直となった時に、上記第１の係合部及び第２の係合部のいずれか一方の係合部を当接させて、上記スライド部材のスライドを停止させる、上記第１の係合部及び第２の係合部のいずれか他方の係合部に設けたスライド部材停止部と、上記第１の係合部を上記スライド部材停止部に案内する第１の案内手段とよりなり、
上記停止部迂回手段は、上記停止したスライド部材を、上記スライド駆動部により、前後いずれか他方側に所望の距離だけスライドさせて、上記一方の係合部と上記スライド部材停止部との当接を解除し、次に、上記スライド部材を一方側にスライドさせて、上記フロントパネル固定枠が垂直となった時でも、上記一方の係合部が上記スライド部材停止部に当接しないように上記スライド部材停止部を迂回させて、上記スライド部材を一方側に更にスライド可能とするように、上記一方の係合部を案内する第２の案内手段とよりなることを特徴とする請求項６記載の車載用の電子機器のフロントパネルの傾動機構装置。。
【請求項８】
上記一方の係合部は、上記第機器本体又はスライド部材に、左右方向に延びる軸回りに傾動自在に枢支されると共に、付勢手段により一方の傾動方向に付勢される係合片であり、
上記他方の係合部は、上記第機器本体又はスライド部材に設けた係合ピンであり、
上記係合片は、上記係合ピンにより、上記付勢手段に抗して他方の傾動方向に押圧される、前後方向に延びる傾斜辺部と、
上記傾斜辺部の後端部に連ねて設けた、他方の傾動方向に延びる、上記係合ピンが移動自在な第１の案内溝と、
上記第１の案内溝の先端部に連ねて設けた、前後いずれか他方側に延びる、上記係合ピンが移動自在な第２の案内溝と、
上記第２の案内溝の先端部に連ねて設けられた、他方の傾動方向に延びる、上記係合ピンが移動自在な第３の案内溝と、
上記第３の案内溝の先端部の前後いずれか一方の壁に形成した、上記第３の案内溝から上記係合ピンの係合を解除できる係合解除部とよりなり、
上記スライド部材停止部は、上記第１の案内溝の前後いずれか一方の側壁より形成され、
上記第１の案内手段は、上記傾斜辺部と、上記第１の案内溝とより形成され、
上記第２の案内手段は、上記第２の案内溝と、上記第３の案内溝と、係合解除部とより形成され、
上記スライド駆動部により、上記スライド部材が前後いずれか一方側の方向にスライドする時は、上記係合ピンが上記傾斜辺部を押圧しながら一方側の方向にスライドし、そして、上記第１の案内溝に案内され、
上記フロントパネル固定枠が垂直となった時に、上記係合ピンは、上記第１の案内溝の一方の側壁に当接して、上記スライド部材のスライドを停止し、
また、上記係合ピンの傾斜辺部の押圧の解除により、付勢された上記係合片が傾動し、上記係合ピンは、上記第１の案内溝の先端壁に当接するまで、相対的に移動して停止し、
次に、上記スライド駆動部により、上記スライド部材を前後いずれか他方の方向に移動させることにより、上記係合ピンは、上記第２の案内溝に沿って、上記第３の案内溝まで移動させ、上記係合ピンが上記スライド部材停止部との当接が解除されると共に、
上記係合ピンの上記第２の案内溝の押圧が解除されて、付勢された上記係合片が傾動することにより、上記係合ピンは、上記第３の案内溝の先端壁に当接するまで、相対的に移動して停止し、
次に、上記スライド部材を前後いずれか一方側にスライドさせることにより、上記係合ピンは、上記係合解除部により、上記係合片との係合が解除され、上記フロントパネル固定枠が垂直となった時でも、上記一方の係合部が上記スライド部材停止部に当接しないように、上記スライド部材停止部を迂回させて、上記スライド部材を更に一方側にスライド可能となることを特徴とする請求項７記載の車載用の電子機器のフロントパネルの傾動機構装置。
【考案の詳細な説明】
【技術分野】
【０００１】
本考案は、車両に搭載される電子機器のフロントパネルの傾動機構装置に関するものである。
【背景技術】
【０００２】
車両に搭載されるカーナビゲーションなどの映像機器や音響機器などの電子機器には、ＣＤやＤＶＤなどの挿入口を前面に設けた電子機器の機器本体と、この機器本体の前方に、この機器本体の前面を覆うように配置した、表示部や操作部をその前面に設けたフロントパネルとからなるものがある。
【０００３】
このような電子機器においては、フロントパネル傾動機構により、上記フロントパネルを上記機器本体の前面に対して傾動させて、上記フロントパネルを、上記電子機器の挿入口を覆う起立状態から、上記挿入口を露出させる伏倒状態まで傾動できるようにしている。
【０００４】
また、一般に、運転者の目線は、フロントパネルより高い位置にあることから、運転者が見やすいように、上記フロントパネルの下端を上端よりも前方に突出させ、上記フロントパネルの前面を上側に向く方向に傾斜するように傾動させる傾動機構が用いられているが、近年の車両の室内のデザインの多様性から、フロントパネルの前面が下側に向く方向に傾斜した方が見やすい場合もあることから、上記フロントパネルの前面を上側のみならず下側も向くように逆側にも傾動させる傾動機構も用いられている。
【０００５】
このよう傾動機構としては、例えば、特許文献１がある。
【先行技術文献】
【特許文献】
【０００６】
【特許文献１】特開２００６−３３５２６０号公報
【考案の概要】
【考案が解決しようとする課題】
【０００７】
しかしながら、上記のようにフロントパネルが逆側にも傾動する傾動機構は機構が複雑で、フロントパネルがスムーズに傾動せず、また、部品点数も多く、そのため値段が高いという欠点があった。
【０００８】
また、上記機器本体の前面をより露出しようとするために、上記フロントパネルをかなり傾斜させる場合、上記傾動機構の各連結部のバックラッシュや動かしやすくするための遊び、製造誤差などの隙間の存在により、上記フロントパネルが落ち込んで、水平に近い位置まで伏倒してしまい、死点位置近い位置で止まってしまうことにより、上記フロントパネルが起立状態に復帰しづらくなりスムーズに動かない場合があった。
【０００９】
また、上記フロントパネルがガタついてしまう欠点があった。
【００１０】
本考案は、上記の欠点をなくすようにしたものである。
【課題を解決するための手段】
【００１１】
本考案の車載用の電子機器のフロントパネルの傾動機構装置は、車載用の電子機器の機器本体に、この機器本体に対して前後方向にスライド自在に連結されるスライド部材と、上記機器本体の前方に配置される、フロントパネルが固定されるフロンパネル固定枠と、前後方向に延びるアーム部材と、上記アーム部材の傾動をガイドするガイド手段と、上記スライド部材を前後方向にスライドさせるスライド駆動部とよりなり、上記フロントパネル固定枠が、上記機器本体に対して、左右方向に延びる軸周りに傾動できるように、上記フロントパネル固定枠の下部が、上記スライド部材の前部に、傾動自在に連結され、上記フロントパネル固定枠の上部が、上記アーム部材の前部に、傾動自在に連結され、上記アーム部材の中間部が、上記機器本体に、傾動自在に連結されることを特徴とする。
【００１２】
また、上記ガイド手段は、上記アーム部材の後部に設けたガイドピンと、上記スライド部材に固定した、上記ガイドピンが係合するガイド長孔を有するガイド板とよりなり、上記スライド部材と共に上記ガイド板が前後方向にスライドすることにより、上記アーム部材のガイドピンが上記ガイド長孔にガイドされて、上記アーム部材が傾動されることを特徴とする。
【００１３】
また、上記ガイド長孔は、上記各連結部及びスライド機構部において隙間なく連結されたと想定した場合の上記スライド部材のスライドに伴って上記アーム部材が傾動する時に、上記アーム部材の後部が、上記スライド部材と共に前後に移動する上記ガイド板に対して描く軌跡に合致する形状であることを特徴とする。
【００１４】
また、上記ガイドピンは、上記アーム部材に対して回動自在なテーパーローラであって、このテーパーローラを上記ガイド長孔に対して押圧する手段を有することを特徴とする。
【００１５】
また、上記ガイド長孔は、所望の長さに形成され、上記アーム部材の傾動を所望の範囲内に規制することを特徴とする。
【００１６】
また、スライド部材停止機構部を更に有し、このスライド部材停止機構部は、上記機器本体に設けた第１の係合部と、上記スライド部材に設けた、上記第１の係合部に係合する第２の係合部と、上記スライド駆動部により上記スライド部材がスライドして、上記フロントパネル固定枠が垂直となった時に、上記第１の係合部と第２の係合部とが係合して、上記スライド部材を停止させる停止手段と、上記停止手段により停止した後は、上記スライド駆動部により上記スライド部材がスライドして、上記フロントパネル固定枠が垂直となった時でも、上記第１の係合部と第２の係合部とが係合せず、上記スライド部材を更にスライド可能とする停止部迂回手段とよりなることを特徴とする。
【００１７】
また、上記停止手段は、上記スライド駆動部により上記スライド部材が前後いずれか一方側にスライドし、上記フロントパネル固定枠が垂直となった時に、上記第１の係合部及び第２の係合部のいずれか一方の係合部を当接させて、上記スライド部材のスライドを停止させる、上記第１の係合部及び第２の係合部のいずれか他方の係合部に設けたスライド部材停止部と、上記第１の係合部を上記スライド部材停止部に案内する第１の案内手段とよりなり、上記停止部迂回手段は、上記停止したスライド部材を、上記スライド駆動部により、前後いずれか他方側に所望の距離だけスライドさせて、上記一方の係合部と上記スライド部材停止部との当接を解除し、次に、上記スライド部材を一方側にスライドさせて、上記フロントパネル固定枠が垂直となった時でも、上記一方の係合部が上記スライド部材停止部に当接しないように上記スライド部材停止部を迂回させて、上記スライド部材を一方側に更にスライド可能とするように、上記一方の係合部を案内する第２の案内手段とよりなることを特徴とする。
【００１８】
また、上記一方の係合部は、上記第機器本体又はスライド部材に、左右方向に延びる軸回りに傾動自在に枢支されると共に、付勢手段により一方の傾動方向に付勢される係合片であり、上記他方の係合部は、上記第機器本体又はスライド部材に設けた係合ピンであり、上記係合片は、上記係合ピンにより、上記付勢手段に抗して他方の傾動方向に押圧される、前後方向に延びる傾斜辺部と、上記傾斜辺部の後端部に連ねて設けた、他方の傾動方向に延びる、上記係合ピンが移動自在な第１の案内溝と、上記第１の案内溝の先端部に連ねて設けた、前後いずれか他方側に延びる、上記係合ピンが移動自在な第２の案内溝と、上記第２の案内溝の先端部に連ねて設けられた、他方の傾動方向に延びる、上記係合ピンが移動自在な第３の案内溝と、上記第３の案内溝の先端部の前後いずれか一方の壁に形成した、上記第３の案内溝から上記係合ピンの係合を解除できる係合解除部とよりなり、上記スライド部材停止部は、上記第１の案内溝の前後いずれか一方の側壁より形成され、上記第１の案内手段は、上記傾斜辺部と、上記第１の案内溝とより形成され、上記第２の案内手段は、上記第２の案内溝と、上記第３の案内溝と、係合解除部とより形成され、上記スライド駆動部により、上記スライド部材が前後いずれか一方側の方向にスライドする時は、上記係合ピンが上記傾斜辺部を押圧しながら一方側の方向にスライドし、そして、上記第１の案内溝に案内され、上記フロントパネル固定枠が垂直となった時に、上記係合ピンは、上記第１の案内溝の一方の側壁に当接して、上記スライド部材のスライドを停止し、また、上記係合ピンの傾斜辺部の押圧の解除により、付勢された上記係合片が傾動し、上記係合ピンは、上記第１の案内溝の先端壁に当接するまで、相対的に移動して停止し、次に、上記スライド駆動部により、上記スライド部材を前後いずれか他方の方向に移動させることにより、上記係合ピンは、上記第２の案内溝に沿って、上記第３の案内溝まで移動させ、上記係合ピンが上記スライド部材停止部との当接が解除されると共に、上記係合ピンの上記第２の案内溝の押圧が解除されて、付勢された上記係合片が傾動することにより、上記係合ピンは、上記第３の案内溝の先端壁に当接するまで、相対的に移動して停止し、次に、上記スライド部材を前後いずれか一方側にスライドさせることにより、上記係合ピンは、上記係合解除部により、上記係合片との係合が解除され、上記フロントパネル固定枠が垂直となった時でも、上記一方の係合部が上記スライド部材停止部に当接しないように、上記スライド部材停止部を迂回させて、上記スライド部材を更に一方側にスライド可能となることを特徴とする。
【考案の効果】
【００１９】
本考案によれば、簡単な構造で、上記フロントパネルの前面を上側のみならず下側もスムーズに向くように傾動できる傾動機構を提供することができる。
【００２０】
また、上記ガイド長孔が、上記アーム部材が理想的に傾動するような形状に形成されているので、上記フロントパネル固定部がスムーズに傾動すると共に、スライド部材に対する上記フロントパネルのガタツキを防ぐことができるようになる。
【００２１】
また、上記記アーム部材のガイド長孔が所望の長さに形成されているので、上記フロントパネルをかなり傾斜させても、それ以上、傾斜しなくなり、フロントパネルの落ち込み等を防止することができるようになる。
【００２２】
また、スライド部材停止機構部を別途設けることにより、機械的に、上記フロントパネルを垂直状態で固定できるようにしたので、上記フロントパネルに、手で押してしまうなど、力が加わっても、その垂直状態を維持できるようになる。
【図面の簡単な説明】
【００２３】
【図１】本考案のフロントパネルの傾動機構装置のフロントパネル固定枠が垂直の状態を示す斜視図である。
【図２】本考案のフロントパネルの傾動機構装置のフロントパネル固定枠が垂直の状態を示す平面図である。
【図３】図２のＡ−Ａ線断面図である。
【図４】本考案のフロントパネルの傾動機構装置のガイドピンの拡大断面図である。
【図５】本考案のフロントパネルの傾動機構装置のフロントパネル固定枠が傾斜した状態を示す斜視図である。
【図６】本考案のフロントパネルの傾動機構装置のフロントパネル固定枠が傾斜した状態を示す平面図である。
【図７】図５のＢ−Ｂ線断面図である。
【図８】本考案のフロントパネルの傾動機構装置のフロントパネル固定枠が伏倒した状態を示す斜視図である。
【図９】本考案のフロントパネルの傾動機構装置のフロントパネル固定枠が伏倒した状態を示す平面図である。
【図１０】図９のＣ−Ｃ線断面図である。
【図１１】本考案のフロントパネルの傾動機構装置のフロントパネル固定枠が逆傾斜した状態を示す斜視図である。
【図１２】本考案のフロントパネルの傾動機構装置のフロントパネル固定枠が逆傾斜した状態を示す平面図である。
【図１３】図１２のＤ−Ｄ線断面図である。
【図１４】本考案の第２の実施例のスライド部材停止機構部の説明用斜視図である。
【図１５】該スライド部材停止機構部の説明用側面図である。
【図１６】該スライド部材停止機構部の説明用平面図である。
【図１７】該スライド部材停止機構部の説明用背面図である。
【図１８】該スライド部材停止機構部の説明用斜視図である。
【図１９】該スライド部材停止機構部の説明用側面図である。
【図２０】該スライド部材停止機構部の説明用平面図である。
【図２１】該スライド部材停止機構部の説明用側面図である。
【図２２】該スライド部材停止機構部の説明用平面図である。
【図２３】該スライド部材停止機構部の説明用側面図である。
【図２４】該スライド部材停止機構部の説明用側面図である。
【図２５】該スライド部材停止機構部の説明用平面図である。
【図２６】該スライド部材停止機構部の説明用側面図である。
【図２７】該スライド部材停止機構部の説明用平面図である。
【考案を実施するための形態】
【００２４】
以下図面によって本考案の実施例を説明する。
【実施例１】
【００２５】
（１．１）傾動機構装置の全体説明
【００２６】
本考案の車載用の電子機器のフロントパネルの傾動機構装置１は、車載用の電子機器の機器本体の筐体（図示せず）内に設けられ、上記筐体から前方に突出した上記傾動機構装置１の前部がフロントパネル（図示せず）に固定される。
【００２７】
この傾動機構装置１は、図１〜図３に示すように、上記機器本体の筐体内の底部に固定される矩形板状の底板部２と、上記筐体内の下部に配置された、上記底板部２に対して前後方向（図においてＸ方向）にスライド自在なスライド部材３と、上記機器本体の筐体の前方に配置される、左右方向に延びる軸回り（図においてＹ軸回り）で傾動自在な、上記フロントパネルを固定するフロントパネル固定枠４と、上記スライド部材３よりも上方で、上記筐体内の左右に配置した、前後方向に弧状に延びる板状のアーム部材５、５と、上記各アーム部材５の傾動をガイドするガイド手段６と、上記スライド部材３を前後方向にスライドさせるための、上記底板部２上に固定したスライド駆動部７とよりなる。
【００２８】
そして、上記スライド部材３の前部と、上記フロントパネル固定枠４との下部とが、第１枢支部８において、左右方向に延びる軸回り（図においてＹ軸回り）に傾動自在に連結される。また、上記アーム部材５の中間部と上記底板部２とが、第２枢支部９において、左右方向に延びる軸回り（図においてＹ軸回り）に傾動自在に連結される。また、上記アーム部材５の前部と上記フロントパネル固定枠４の上部（なお、この上部とは、上記第１枢支部８よりも上の部分を意味する）とが、第３枢支部１０において、左右方向に延びる軸回り（図においてＹ軸回り）に傾動自在に連結される。
【００２９】
また、上記ガイド手段６は、上記アーム部材５の後部に固定したガイドピン１１と、上記スライド部材３に固定した、上記ガイドピン１１が係合するガイド長孔１２ａを有するガイド板１２とよりなり、上記スライド部材３と共に上記ガイド板１２が前後方向にスライドすることにより、上記アーム部材５のガイドピン１１が上記ガイド長孔１２ａにガイドされて、上記アーム部材５が上記第２枢支部９を中心に、左右方向に延びる軸回り（図においてＹ軸回り）に傾動するようになる。
【００３０】
以下、具体的に説明する。
【００３１】
（１．２）底板部の説明
【００３２】
上記矩形板状の底板部２は、左右の側部に、それぞれ垂直に立ち上がると共に前後方向（図においてＸ方向）に延びる短冊状の第１立ち上がり板部２ａ、２ａを有する。また、上記左右の各第１立ち上がり板部２ａ、２ａの内側面には、それぞれ、上記スライド部材３の後述するガイド長孔１４に挿入されるガイドピン１３、１３が前後方向に離間して所望の同じ高さで２つ突設される。
【００３３】
また、上記底板部２の上記第１立ち上がり板部２ａの前部上縁に上方に延びる突出板部２ｂを設け、この突出板部２ｂに、上記アーム部材５に設けた後述する枢支ピン１５が回転自在に挿入される孔２ｃを設ける。
【００３４】
なお、上記枢支ピン１５と上記孔２ｃにより上記第２枢支部９が構成される。
【００３５】
（１．３）スライド部材の説明
【００３６】
上記スライド部材３は、上記左右の第１立ち上がり板部２ａ、２ａ間の上記底板部２上に左右に離間して平行に配置した前後方向に延びる短冊状の腕部３ａ、３ａと、この２つの腕部３ａ、３ａの前部を連結する連結部３ｂとからなり、上記スライド部材３は、コ次状の板状に形成される。
【００３７】
また、上記スライド部材３の上記各左右の腕部３ａ、３ａの外側部分をそれぞれ、垂直に立ち上がらせると共に前後方向（図においてＸ方向）に延びる短冊状の第２立ち上がり板部３ｃ、３ｃを形成し、この各第２立ち上がり板部３ｃに前後方向に水平に延びるガイド長孔１４を形成する。
【００３８】
そして、上記各第１立ち上がり部２ａの前後のガイドピン１３、１３がそれぞれ上記スライド部材３のガイド長孔１４に挿入されることにより、上記スライド部材３が、上記底板部２に対して前後方向（図においてＸ方向）にスライド自在に連結される。
【００３９】
また、上記ガイド長孔１４の前後縁部１４ａ、１４ｂにより上記前後のガイドピン１３、１３の移動が規制され、上記スライド部材３の前後方向の移動量が規制されるようになる。
【００４０】
また、上記スライド部材３の第２立ち上がり部材３ｃの前部に、上記フロントパネル固体枠の下部に設けた、後述する枢支ピン１６が回動自在に挿入される孔３ｄを設ける。
【００４１】
なお、上記枢支ピン１６と上記孔３ｄにより上記第１枢支部８が構成される。
【００４２】
（１．４）アーム部材の説明
【００４３】
前後方向に凹状に弧状に延びる板状のアーム部材５は、中間部の外側面に、上記第１立ち上がり部材２ａの突出板部２ｂの孔２ｃに回動自在に挿入される枢支ピン１５を突設する。そして、上記孔２ｃと上記枢支ピン１５とにより第２枢支部９が構成され、上記アーム部材５が上記立ち上がり板部２ａに対して、上記第２枢支部９回り（図においてＹ軸回り）で傾動自在に連結されるようになる。
【００４４】
また、上記アーム部材５の前部に、上記フロントパネル固定枠４に設けた後述する枢支ピン１７が回動自在に挿入される孔５ａを設ける。
【００４５】
なお、上記枢支ピン１７と上記孔５ａにより上記第３枢支部１０が構成される。
【００４６】
また、上記アーム部材５の後部の内側面に、上記ガイド板１２のガイド長孔１２ａに係合するガイドピン１１を設ける。
【００４７】
（１．５）フロントパネル固定枠の説明
【００４８】
上記フロントパネル固定枠４は、上記機器本体の前面を覆う矩形状の板本体４ａと、この板本体４ａの左右縁部にそれぞれ直角方向に設けた側板部４ｂ、４ｂと、上記板本体４ａの下縁に直角方向に設けた底板部４ｃとよりなり、上記板本体４ａと側板部４ｂ、４ｂと底板部４ｃとにより、上方及び正面が開放した箱状に形成され、このフロントパネル固定枠４にフロントパネルが固定される。
【００４９】
また、上記フロントパネル固体枠４の上記各側板部４ｂの下部の外側面には、上記スライド部材３の第２立ち上がり部材３ｃの前部に形成した孔３ｄに回動自在に挿入される枢支ピン１６が突設される。そして、上記孔３ｄと上記枢支ピン１６とにより第１枢支部８が構成され、上記フロントパネル固定枠４との下部が、上記スライド部材３に対して、第１枢支部８回り（図においてＹ軸回り）で傾動自在に連結されるようになる。
【００５０】
また、上記フロントパネル固定枠４の上記各側板部４ｂの上部の外側面には、上記アーム部材５の前部に形成した孔５ａに回動自在に挿入される枢支ピン１７が突設される。そして、上記孔５ａと上記枢支ピン１７とにより、上記第３枢支部１０が構成され、上記フロントパネル固体枠体４の上部が、上記アーム部材５に対して、第３枢支部１０回り（図においてＹ軸回り）で傾動自在に連結されるようになる。
【００５１】
なお、上記フロントパネル固定枠４には、上記フロントパネルの筐体も含まれ、上記フロントパネルの筐体の側板部の下部に直接上記スライド部材３が連結され、また、上記フロントパネルの筐体の側板部の上部に直接上記アーム部材が連結される場合も含まれる。
【００５２】
（１．６）ガイド板の説明
【００５３】
上記スライド部材３の左右の腕部３ａ、３ａ上の、上記第２立ち上がり板部３ｃの内側に、それぞれ垂直に立ち上がらせると共に前後方向（図においてＸ方向）に延びる台形状のガイド板１２を固定する。また、このガイド板１２に、上記ガイドピン１１が移動自在に挿入される、後方に向かうに従って徐々に上方に向かう前後方向に弧状に延びるガイド長孔１２ａを設ける。
【００５４】
そして、上記スライド部材３と共に上記ガイド板１２が前後方向にスライドすることにより、上記アーム部材５のガイドピン１１が上記ガイド長孔１２ａにガイドされて、上記アーム部材５が上記第２枢支部９を中心に、左右方向に延びる軸回り（図においてＹ軸回り）に傾動するようになる。
【００５５】
これにより、上記フロントパネル固定枠４が、上記アーム部材５及びスライド部材３の２つにより傾動させられるので、上記フロントパネルが水平に近い位置まで伏倒し、死点位置近い位置で止めたとしても、フロントパネルを容易に起立状態に復帰させて、スムーズに傾動させることができるようになる。
【００５６】
なお、上記ガイド長孔１２の形状は、上記各連結部及びスライド機構部が隙間なく連結されたと想定される、理想的な傾動機構装置を用いた場合において、このスライド部材のスライドに伴ってアーム部材を傾動させた時に、アーム部材の後部が、上記スライド部材と共に前後に移動するガイド板に対して描く軌跡に合致する形状に形成される。
【００５７】
また、上記ガイド長孔１２ａは、所望の長さに形成され、上記ガイドピン１１が上記ガイド長孔１２ａの前後の縁部１２ｂ、１２ｃに当接することにより、上記アーム部材５の傾動が所望の範囲内に規制される。
【００５８】
これにより、上記フロントパネル固定枠４を傾動させた時、上記アーム部材５のガイドピン１１が上記ガイド長孔１２の縁部１２ｃに当接したところで、上記フロントパネル固定枠４の傾動が阻止されるが、上記各連結部及びスライド機構部などの隙間の存在により、上記スライド部材３が、上記底板部２に対して前方にスライドする余地がある。しかしながら、もはや上記アーム部材５は傾動できないので、上記スライド部材３は前方にスライドすることができず、従って、上記フロントパネル固定枠４が下方に落ち込んで、起立状態に復帰しずらくなる伏倒状態となることを防ぐことができる。
【００５９】
（１．７）ガイドピンの説明
【００６０】
上記ガイドピン１１は、図４に示すように、上記アーム部材５に固定された突出ピン部１１ａと、この突出ピン１１ａに設けた鍔部１１ｂと、この突出ビン部１１ａの先端部に回動自在に設けたテーパーローラ１１ｃと、上記鍔部１１ｂと上記テーパーローラ１１ｃとの間に圧縮した状態で介挿した板バネなどの付勢手段１１ｄと、上記テーパーローラ１１ｃの基部に設けた鍔部１１ｅとよりなり、該テーパーローラ１１ｃは、外方に向かって、径が小さくなるように形成されている。これにより、上記テーパーローラ１１ｃは、上記付勢手段１１ｄにより、常に上記ガイド長孔１２側に押しつけられ、上記ガイド長孔１２に製造誤差などによる幅の違いがあっても、上記ガイド長孔１２に常時がたつきなく係合されているようになる。
【００６１】
これにより、上記アーム部材５の後部が理想的な軌跡で傾動するようになり、上記フロントパネル固定枠４がスムーズに傾動すると共に、スライド部材に対する上記フロントパネルのガタツキを防ぐことができるようになる。
【００６２】
（１．８）スライド機構部７の説明
【００６３】
上記スライド駆動部７は、上記底板部２上に固定されたモータ１８と、上記スライド部材３の一方の腕部３ａの内側辺に沿って前後に形成したラック部１９と、入力側で上記モータ１４の回転軸に固定したギア（図示せず）に噛み合い、出力側で上記ラック部１９に噛み合うギア機構部２０とよりなり、上記モータ１８を正逆回転させることにより、上記ギア機構部２０を介して、上記一方の腕部３ａが、上記底板部２に対して前後方向に移動でき、これにより上記スライド部材３が上記底板部２に対して前後方向に移動するようなる。
【００６４】
（２．１）次に、本考案の傾動機構の動作説明を行う。
【００６５】
（２．２）垂直状態の説明
【００６６】
図１〜図３は、フロントパネル固定枠４が垂直となる状態を示す（なお、フロントパネル固定枠に固定されるフロントパネルも同様に垂直となる）。
【００６７】
なお、この垂直状態においては、上記第１立ち上がり部２ａの前方側のガイドピン１３は、上記第２立ち上がり部３ｃの長孔１４の前方側の縁部１４ａから所望の距離離間して位置し、上記スライド部材３が所望の距離だけ後方に移動できる。また、上記第１立ち上がり部２ａの後方側の枢支ピン１３は、上記第２立ち上がり部３ｃの長孔の後方側の縁部１４ｂから所望の距離離間し、上記スライド部材３が所望の距離だけ前方に移動できる。
【００６８】
（２．３）前方傾斜の説明
【００６９】
上記フロントパネル固定枠４が垂直状態から、電子機器の機器本体の挿入口を露出させるためには、例えば、操作パネル（図示せず）などを操作して、上記スライド機構部７のモータ１８を正回転させ、上記ギア機構部２０、ラック部１９を介して、上記スライド部材３を、上記底板部２に対して前方に移動させるようにする。
【００７０】
そして、上記スライド部材３が前方に移動することにより、上記フロントパネル固定枠４の下部が前方に突出するが、上記フロントパネル固定枠４の上部は、上記底板部２の第１立ち上がり板部２ａの第２枢支部９を中心としてしか傾動しない上記アーム部材５により、前方への突出が阻止され、図５〜図７に示すように、上記フロントパネル固定枠４が上側を向く方向で傾斜（前方傾斜）するようになる。
【００７１】
そして、上記スライド部材３が更に前方に移動し、上記第１立ち上がり部２ａの後方のガイドピン１３が、スライド部材３の上記第２立ち上がり部３ｃのガイド長孔１４の後方部の縁部１４ｂに当接することにより、上記スライド部材３の前方への移動が阻止されて、図８〜図１０に示すように、上記フロントパネル固体枠４が、水平に近い位置まで伏倒したところで停止し、これにより、上記機器本体の前面が露出するようになる。
【００７２】
なお、同時に、上記ガイドピン１１が上記ガイド長孔１２ａの縁部１２ｃに当接し、上述したように、上記アーム部材５は傾動できないので、上記スライド部材３の前方への移動の余地があっても、上記スライド部材３の前方へのスライドが阻止され、上記フロントパネル固定枠４が下方に落ち込んで、起立状態に復帰しずらくなる伏倒状態となることを防ぐことができる。
【００７３】
また、上記アーム部材５が上記スライド部材３に対して理想的に傾動するようになり、上記フロントパネル固定枠４がスムーズに傾動すると共に、スライド部材３に対する上記フロントパネル固定枠４のガタツキを防ぐことができるようになる。
【００７４】
なお、上記フロントパネル固定枠４の傾斜角度を角位置センサー等で検知し、上記後方のガイドピン１３が上記ガイド長孔１４の縁部に当接する前に、上記フロントパネル固定枠４が所望の伏倒状態となった時に、制御手段（図示せず）により、上記モータの回転を止めるようにしてもよい。
【００７５】
また、上記センサー及び制御手段等により、フロントパネル固定枠４を任意の傾斜角度で、止めるようにしてもよい。
【００７６】
（２．４）傾斜からの復帰の説明
【００７７】
次に、上記フロントパネル固体枠４が水平に近い位置まで傾斜した状態から、図１〜図３に示すように、機器本体の前面を覆うために、フロントパネル固定枠４が垂直状態とするためには、例えば、操作パネルを操作して、上記スライド機構部７のモータを逆回転させて、上記スライド部材３を、上記底板部２に対して後方に移動し、上記フロントパネル固定枠４が垂直状態なった時に、上記制御手段等により、上記モータを停止するようにする。
【００７８】
この際、上記フロントパネル固定枠４が、水平に近い位置まで伏倒して、死点位置近い位置で停止させても、上記フロントパネル固定枠４を、上記スライド部材３及びアーム部材５の２つにより傾動させるので、起立状態への傾動がスムーズになる。
【００７９】
（２．５）後方傾斜の説明
【００８０】
以上の動作が、上記電子機器の機器本体の挿入口を露出する場合又は覆う場合、又は、上記フロントパネルを上側を向いた状態で所望量傾斜させて停止する場合の説明であるが、例えば、フロントパネル固定枠を下側に向いた状態に傾斜（後方傾斜）させる場合には、例えば、図１〜図３に示す、フロントパネル固定枠４が垂直となる状態から、上記スライド機構部７のモータ１８を逆回転させ、上記ギア機構部２０、ラック部１９を介して、上記スライド部材３を、上記底板部２に対して後方に移動させる。そして、上記第１立ち上がり部２ａの前側のガイドピン１３が、スライド部材３の上記第２立ち上がり部３ｃのガイド長孔１４の前方の縁部１４ａに当接し、上記スライド部材３の後方への移動が阻止されて、図１１〜図１３に示すように、上記フロントパネル固体枠４が、下側を向いた状態で傾斜して停止するようになる。
【００８１】
なお、上記前側のガイドピン１３が上記ガイド長孔１４の縁部１４ａに当接する前に、制御手段（図示せず）により、上記モータ１８の回転を止めるようにして、上記フロントパネル固定枠４の傾動を止めるようにしてもよい。
【００８２】
また、上記フロントパネル固定枠４が下側を向いた状態から、再度、垂直の状態に戻すには、上記モータを正回転させるようにする。
【００８３】
以上より、上記フロントパネル固定枠４を、垂直状態から伏倒状態に、そして、伏倒状態から垂直状態に、また、垂直状態から逆傾斜、そして、逆傾斜から垂直状態に、傾動させる場合において、いずれの場合も、上記アーム部材５のガイドピン１１を上記ガイド長孔１２ａに係合させてガイドさせるので、スムーズかつガタツキのない傾動を達成することができる。
【実施例２】
【００８４】
上記第１の実施例の傾動機構装置においては、例えば、角位置センサーなどを用いて、フロントパネル固定枠の垂直状態を検知し、モータを制御して、電気的に、フロントパネル固定枠を垂直状態で固定するが、本考案の第２の実施例においては、上記傾動機構装置に、スライド部材停止機構部を更に設けて、機械的に、フロントパネル固定枠を垂直状態で固定できるようにする。
【００８５】
なお、電気的に、フロントパネル固定枠を垂直状態で固定することなしに、上記スライド部材停止機構部のみで、フロントパネル固定枠を垂直状態に固定できるようにしてもよい。
【００８６】
図１４〜図２７は、本考案の第２の実施例の上記スライド部材停止機構部２１を示し、このスライド部材停止機構部２１は、本考案の第１実施例の機器本体に設けた第１の係合部と、上記スライド部材３に設けた、上記第１の係合部に係合する第２の係合部と、上記スライド駆動部７により上記スライド部材３がスライドして、上記フロントパネル固定枠４が垂直となった時に、上記第１の係合部と第２の係合部とが係合して、上記スライド部材３を停止させる停止手段と、上記停止手段により停止した後は、上記スライド駆動部７により上記スライド部材３がスライドして、上記フロントパネル固定枠４が垂直となった時でも、上記第１の係合部と第２の係合部とが係合せず、上記スライド部材３を更にスライド可能とする停止部迂回手段とよりなり、上記停止手段は、後述するように、スライド部材停止部と第１の案内手段とよりなり、上記停止部迂回手段は、第２の案内手段とよりなる。
【００８７】
以下、具体的に説明する。
【００８８】
上記第１の係合部は、例えば、図１４〜図１８に示すように、本考案の第１実施例の傾動機構装置１の底板部２に設けた第３立ち上がり板部２２の枢支ピン２２ａに、その基部を、左右方向に延びる軸回り（図においてＹ軸回り）において傾動自在に枢支した、矩形平板状の係合片２３よりなる。
【００８９】
上記第２の係合部は、上記スライド部材３（図示せず）の第２立ち上がり板部３ｃ（図１６にのみ、点線で表示し、他の図面では図示せず）の後部の外側面に、外方（Ｙ方向）に突出して設けた、上記係合片２３に係合する係合ピン２４よりなる。
【００９０】
なお、上記第３立ち上がり板部２２は、上記底板部２に対して垂直に立ち上がると共に前後方向（図１４においてＸ方向）に延びる短冊状に形成されて、上記底板部２の一方の側部の後部に設けられ、また、上記枢支ピン２２ａは、上記第３立ち上がり板部２２の内側面に外方（Ｙ軸方向）に突出して設けられる。
【００９１】
また、上記係合片２３に、この係合片２３の遊端側が、上記枢支ピン２２ａ回りで、常時上方に傾動（Ｙ軸周りに上側に傾動）するよう付勢する付勢部材２５と、上記係合片２３が所望の角度以上傾動しないように規制する傾動規制手段２６とを設ける。
【００９２】
また、上記係合片２３には、上記係合片２３の遊端部を、左右方向（Ｙ軸方向）において傾動自在とする傾動手段２７を設ける。
【００９３】
上記付勢手段２５は、例えば、上記係合片２３と上記第３の立ち上がり板部２２との間の上記枢支ピン２２ａに介挿したコイルバネなどよりなる。
【００９４】
上記傾動規制手段２６は、上記係合片２３の下部に外方（Ｙ軸方向）に突出して設けた一方の規制片２３ａと、上記第３の立ち上がり板部２２の中間部に内方（Ｙ軸方向）に突出して設けた他方の規制片２２ｂとよりなり、上記係合片２３が、上記付勢手段２５により、その遊端部が上側に移動する方向に傾動し、上記一方の規制片２３ａが上記他方の規制片２２ｂに当接したところで、その傾動が阻止されて、上記係合片２３がその位置で、固定されるようになる。
【００９５】
上記傾動手段２７は、例えば、上記係合片２３と上記第３の立ち上がり板部２２との間の上記係合ピン２２ａに圧縮コイルバネを介挿すると共に、上記係合片２３を、上記係合ピン２２ａの平板状の頭部２２ｃと上記第３立ち上がり板部２２との間で若干移動自在とすることにより形成され、通常時においては、上記圧縮コイルバネにより、上記係合片２３が上記平板状の頭部２２ｃ側に押圧されて、上記第３の立ち上がり板部２２と平行となるように固定され、上記係合片２３の遊端部が外方（Ｙ軸方向）に押圧されることにより、上記圧縮コイルバネの一部が圧縮されて、上記係合片２３は、図２５に示すように、上記第３の立ち上がり板部２２に対して、外方に傾動するようになる。なお、上記傾動手段２７は、図２７に示すように、上記係合片２３が上記第３立ち上がり板部２２に対して平行に接近方向に移動することもできる。
【００９６】
なお、本実施例においては、上記付勢手段２５と上記傾動手段２７とは同じコイルバネを利用しているが、異なる手段を用いて、それぞれ付勢、傾動させるようにしてもよい。
【００９７】
また、上記傾動手段２７として、圧縮コイルバネを用いる代わりに、上記係合片２３を弾性部材により形成し、弾性変形より、上記係合片２３の遊端部が外方に傾動自在となるようにしてもよい。
【００９８】
また、上記係合片２３は、後方にスライドする上記係合ピン２４が当接し、下側に押圧することにより、上記係合片２３を、上記枢支ピン２２ａ回りで、その遊端側を下側に傾動させる、前後方向（Ｘ軸方向）に延びる傾斜辺部２８と、この傾斜辺部２８の後端部に連ねて設けた、上記枢支ピン２２ａ回りの傾動方向に対して下側に延びる、上記係合ピン２４が溝に沿って移動自在な第１の案内溝２９と、この第１の案内溝２９の先端部となる下端２９ａに連ねて設けた、前方（Ｘ軸方向）に延びる、上記係合ピン２４が溝に沿って移動自在な第２の案内溝３０と、この第２の案内溝３０の先端部となる左端３０ａに連ねて設けた、上記枢支ピン２２ａ回りの傾動方向に対して下側に延びる、上記係合ピン２４が溝に沿って移動自在な第３の案内溝３１と、この第３の案内溝３１の先端部の下端３１ａの前後方向（Ｘ軸方向）の両側壁にそれぞれ形成した、上記第３の案内溝３１から上記係合ピン２４の係合を解除できる係合解除部３２、３３とよりなる。
【００９９】
なお、上記傾斜辺部２８は、例えば、上記係合片２３の上側辺により形成される。
【０１００】
また、上記係合ピン２４の外方への突出高さは、上記係合片２４に係合できると共に、上記第１〜第３の案内溝２９、３０、３１の各溝底を押圧しない長さに形成されている。
【０１０１】
また、上記係合解除部３２、３３は、各側壁に形成した、上記第３の案内溝３１の底部から上記係合片２３の内側面まで傾斜する傾斜面からなる。
【０１０２】
なお、上記第１〜第３の案内溝２９、３０、３１は、溝以外に長孔により構成するようにしてもよい。
【０１０３】
また、上記第１〜第３の案内溝２９、３０、３１を長孔により形成した場合には、例えば、上記係合ピン２４の突出長さを上記係合片２４の厚さよりも、長くしてもよく、また、上記係合解除部３２、３３として、上記各側壁を傾斜させる他に、各側壁部分を折り曲げて形成した傾斜辺部を設けて、上記係合ピン２４の先端部が、後方に移動する際に、上記傾斜辺部に乗り上げやすくするようにしてもよい。
【０１０４】
そして、上記第１の溝部２９の後方側の側壁２９ｂが上記スライド部材停止部を形成する。また、上記傾斜辺部２８と第１の案内溝２９とより第１の案内手段を形成する。そして、上記スライド部材停止部と上記第１の案内手段により、上記スライド部材停止機構部２１の停止手段が構成されるようになる。
【０１０５】
また、上記第２の案内溝３０と上記第３の案内溝３１と係合解除部３２とにより、上記第２の案内手段を形成し、この第２の案内手段により、上記スライド部材停止機構部２１の停止部迂回手段が構成されるようになる。
【０１０６】
次に、スライド部材停止機構部の動作説明を行う。
【０１０７】
（３．１）前方傾斜から垂直状態まで
【０１０８】
例えば、図７に示すように、フロントパネル固定枠４が前方に傾斜した状態から、図３に示すように、フロントパネル固定枠４を垂直状態方向に傾動させるために、上記スライド駆動部７を駆動して、上記スライド部材３を後方にスライドさせる。
【０１０９】
上記フロントパネル固定枠４が、図７に示すように前方に傾斜した状態では、図１５〜図１７に示すように、上記係合片２３と上記係合ピン２４とは係合していない。
【０１１０】
上記スライド部材３が後方にスライドしていき、上記フロントパネル固定枠４が垂直状態に近くなると、図１９及び図２０に示すように、上記スライド部材３の係合ピン２４は、上記係合片２３の傾斜辺部２８を下方に押圧して、上記係合片２３を、上記枢支ピン２２ａ回りで、下側に傾動させながら、上記係合片２３の傾斜辺部２８の後方に移動し、そして、上記第１の案内溝２９に案内される。
【０１１１】
そして、上記フロントパネル固定枠４が垂直状態となった時に、上記係合ピン２４が、上記第１の案内溝２９の側壁２９ｂに当接して、上記スライド部材３のスライドが停止されるようになる。
【０１１２】
また、この際、図２１及び図２２に示すように、上記係合ピン２４が上記第１の案内溝２９に案内されることにより、上記係合ピン２４の傾斜辺部２８の押圧が解除され、付勢されている上記係合片２３の遊端部が、上記枢支ピン２２ａ回りで上側に傾動する。そして、上記係合ピン２３は、上記係合片２３に対して相対的に、上記第１の案内溝２９に沿って、その下端２９ａに当接するまで移動して、停止する。
【０１１３】
以上により、上記フロントパネル固定枠４が垂直状態となった時に、図２１及び図２２に示す状態で、上記スライド部材３を停止させることができ、上記フロントパネル固体枠４を垂直状態で固定できるようになる。
（３．２）垂直状態から後方傾斜まで
【０１１４】
次に、垂直で固定されたフロントパネル固定枠４を、後方傾斜（フロントパネルの前面が下側を向く方向に傾斜）させるためには、図２１及び図２２に示す状態から、一旦、上記スライド駆動部７により、上記スライド部材３を前方にスライドさせて、上記係合ピン２４を、上記係合片２３の第２の案内溝３０に沿って、その左端３０ａまで移動させる。
【０１１５】
そして、上記係合ピン２４が上記左端３０ａまで移動することにより、図２３に示すように、上記係合ピン２４の上記第２の案内溝３０の下壁３０ｂへの押圧が解除され、付勢されている上記係合片２３の遊端部が、上記枢支ピン２２ａ回りで上側に傾動する。そして、上記係合ピン２４は、上記係合片２３に対して相対的に、上記第３の案内溝３１に沿って、その下端３１ａに当接するまで移動して、停止する。
【０１１６】
次に、上記スライド駆動部７により、上記スライド部材３を後方にスライドさせれば、上記係合ピン２４の頭部が、後方の上記係合解除部３２の傾斜面に乗り上げて、上記係合片２３の内面側２３ｂに移動して、上記係合ピン２４が上記第３の案内溝３１との係合が解除され、図２４及び図２５に示すように、上記係合ピン２４が上記スライド部材停止部に当接せず迂回して、後方に移動可能となり、上記スライド部材３が後方にスライドして、上記フロントパネル固定枠４が垂直状態から、後方に傾斜していくようになる。
【０１１７】
なお、上記係合ピン２４の頭部が、上記係合解除部３２を経由して、上記係合片２３の内面側に移動するときは、上記係合片２３は、上記頭部に押圧されて、上記傾斜手段２７により、傾動するようになる。
【０１１８】
（３．３）後方傾斜から前方傾斜まで
次に、後方に傾斜した上記フロントパネル固定枠４を、前方に傾斜（フロントパネルの前面が上側を向く方向に傾斜）させるためには、図２４及び図２５に示す状態から、上記スライド駆動部７により、上記スライド部材３を前方にスライドさせれば、上記係合ピン２４は、上記係合片２３の内側面から、上記係合解除部３２の傾斜面、第３の案内溝３１を経由し、そして、上記係合解除部３３の傾斜面を乗り上げて、図２６及び図２７に示すように、上記係合片２３の内側面に移動して、更に上記スライド部材３が前方にスライドすれば、図１５〜図１７に示すように、上記係合ピン２４と上記係合片２３との係合が外れ、上記フロントパネル固定枠４が前方に傾斜していくようになる。
【０１１９】
（３．４）垂直状態から前方傾斜まで
【０１２０】
なお、上記（３．１）により、垂直で固定された上記フロントパネル固定枠４を、前方に移動させるためには、図２１及び図２２に示す状態から、上記スライド駆動部７により、上記スライド部材３を前方にスライドさせれば、図２３に示すように、上記係合ピン２４は、上述したように、第２の案内溝３０及び第３の案内溝３１に沿って移動し、更に、上記スライド部材３が前方に移動すれば、上記係合解除部３３の傾斜面を乗り上げて、図２６及び図２７に示すように、上記係合片２３の内側面に移動して、更に上記スライド部材３が前方にスライドすれば、図１５〜図１７に示すように、上記係合ピン２４と上記係合片２３との係合が外れ、上記フロントパネル固定枠４が前方に傾斜していくようになる。
【０１２１】
本考案の第２の実施例によれば、機械的に、上記フロントパネル固定枠４を垂直状態に固定することができるので、電気的のみで固定した場合に比べて、フロントパネル固定枠４を手などにより、押圧してしまっても、動くようなことがない。
【符号の説明】
【０１２２】
１    傾動機構装置
２    底板部
２ａ  第１立ち上がり板部
２ｂ  突出板部
２ｃ  孔
３    スライド部材
３ａ  腕部
３ｂ  連結部
３ｃ  第２立ち上がり板部
３ｄ  孔
４    フロントパネル固定枠
４ａ  板本体
４ｂ  側板部
４ｃ  底板部
５    アーム部材
５ａ  孔
６    ガイド手段
７    スライド駆動部
８    第１枢支部
９    第２枢支部
１０    第３枢支部
１１    ガイドピン
１１ａ  突出ピン
１１ｂ  鍔部
１１ｃ  テーパーローラ
１１ｄ  付勢手段
１１ｅ  鍔部
１２    ガイド板
１２ａ    ガイド長孔
１２ｂ  縁部
１２ｃ  縁部
１３    ガイドピン
１４    ガイド長孔
１４ａ  縁部
１４ｂ  縁部
１５    枢支ピン
１６    枢支ピン
１７    枢支ピン
１８    モータ
１９    ラック部
２０    ギア機構部
２１    スライド部材停止機構部
２２    第３立ち上がり板部
２２ａ  枢支ピン
２２ｂ  規制片
２２ｃ  頭部
２３    係合片
２３ａ  規制片
２３ｂ  内側面
２４    係合ピン
２５    付勢手段
２６    傾動規制手段
２７    傾動手段
２８    傾斜辺部
２９    第１の案内溝
２９ａ  下端
２９ｂ  側壁
３０    第２の案内溝
３０ａ  左端
３０ｂ  下壁
３１    第３の案内溝
３１ａ  下端
３２    係合解除部
３３    係合解除部
【図１】
0003193690.tif 000003
【図２】
0003193690.tif 000004
【図３】
0003193690.tif 000005
【図４】
0003193690.tif 000006
【図５】
0003193690.tif 000007
【図６】
0003193690.tif 000008
【図７】
0003193690.tif 000009
【図８】
0003193690.tif 000010
【図９】
0003193690.tif 000011
【図１０】
0003193690.tif 000012
【図１１】
0003193690.tif 000013
【図１２】
0003193690.tif 000014
【図１３】
0003193690.tif 000015
【図１４】
0003193690.tif 000016
【図１５】
0003193690.tif 000017
【図１６】
0003193690.tif 000018
【図１７】
0003193690.tif 000019
【図１８】
0003193690.tif 000020
【図１９】
0003193690.tif 000021
【図２０】
0003193690.tif 000022
【図２１】
0003193690.tif 000023
【図２２】
0003193690.tif 000024
【図２３】
0003193690.tif 000025
【図２４】
0003193690.tif 000026
【図２５】
0003193690.tif 000027
【図２６】
0003193690.tif 000028
【図２７】
0003193690.tif 000029